(57)【要約】【課題】彫込錠の錠ケースのシリンダ設置口に対してシリンダのハウジングを調整位置に固定する際の作業性を向上させる。【解決手段】シリンダ２のハウジング７は軸方向に並ぶ複数の突部１０ａ〜１０ｃと、回止め部材１２を軸方向から挿入可能な取付部１１とを有する。シリンダ設置口１８は突部１０ａ〜１０ｃを軸方向に挿入可能な内径を成す大径部１９と、突部１０ａ〜１０ｃを軸方向に挿入不可な内径を成す小径突部２０と、回止め部材１２を周方向に受ける回転制限部２１とを有する。ハウジング７が突部１０ａ〜１０ｃを大径部１９へ向けるようにシリンダ設置口１８へ挿入され、その軸方向位置が調整された状態で回されて、調整位置に対応の突部１０ａ，１０ｂ，１０ｃが小径突部２０と軸方向に重なり、取付部１１に固定された回止め部材１２が回転制限部２１に周方向に受けられて、ハウジング７の回転が規制される。【選択図】図１
2020016042.tif 000002
【特許請求の範囲】
【請求項１】
ドアの内部に設置される錠ケースと、前記錠ケースのシリンダ設置口に挿入されるハウジングを有するシリンダと、を備える彫込錠において、
前記ハウジングが、当該ハウジングの外側で軸方向に並ぶ複数の突部と、回止め部材を軸方向から挿入可能な取付部と、を有し、
前記シリンダ設置口が、前記複数の突部を軸方向に挿入可能な内径を成す大径部と、前記複数の突部を軸方向に挿入不可な内径を成す小径突部と、前記取付部に固定された前記回止め部材を周方向に受ける回転制限部と、を有し、
前記ハウジングが前記突部を前記大径部へ向けるように前記シリンダ設置口へ挿入され、当該シリンダ設置口に対する当該ハウジングの軸方向位置が調整された状態で当該ハウジングが回されることによって、当該調整位置に対応の前記突部が当該調整位置を維持できるように前記小径突部と軸方向に重なる係止状態とされ、当該係止状態で前記取付部に前記回止め部材が固定され、当該回止め部材が前記回転制限部に周方向に受けられることによって、当該係止状態を維持できるように当該ハウジングの回転が規制されることを特徴とする彫込錠。
【請求項２】
前記ハウジングが、前記複数の突部の周方向片端に連続するように軸方向に延び、かつ当該ハウジングを前記係止状態にするための一方向回転を前記小径突部との当接で規制するように設けられた係合部を有し、
前記回転制限部が、前記取付部に固定された前記回止め部材を前記ハウジングの他方向回転を規制可能な方向に受ける形状である請求項１に記載の彫込錠。
【請求項３】
前記回転制限部が、前記小径突部の一部として設けられている請求項１又は２に記載の彫込錠。
【請求項４】
前記錠ケースが、前記シリンダ設置口を形成する一対の側板部を有し、
前記一対の側板部間には、前記シリンダのカムに連結されるカムリングが配置されており、
前記大径部と前記ハウジングとの間が前記カムの回転空間になる請求項１から３のいずれか１項に記載の彫込錠。
【請求項５】
前記回止め部材が、前記ハウジングの前記取付部にねじ込むことによって当該取付部に固定可能な雄ねじからなる請求項１から４のいずれか１項に記載の彫込錠。
【発明の詳細な説明】
【技術分野】
【０００１】
この発明は、施解錠機構を収容、支持する錠ケースを備え、その錠ケースがドアの内部に設置される彫込錠に関する。
【背景技術】
【０００２】
彫込錠としては、錠ケースに接続されるシリンダと、錠ケースに接続されるサムターンとを備えるものが一般的である。この種の彫込錠は、ドアに対して室外側からシリンダの鍵穴に鍵を挿入し、その鍵を回す操作により、また、ドアに対して室内側からサムターンを回す操作により、施解錠を行えるように設置される。
【０００３】
従来、錠ケースに対するシリンダの接続構造として、シリンダのハウジングを錠ケースのシリンダ設置口に挿入し、そのハウジングをシリンダ設置口で支持する構造が採用されている。ドアの厚さやドアに対する錠ケースの取付位置は、ドアの仕様によって異なる。このため、錠ケースに対するハウジングの取付位置を軸方向に関して調整可能な接続構造を採用し、その調整により、シリンダの鍵穴等をドアの仕様に応じた適切な位置へ調整することができるように構成された彫込錠が提案されている。
【０００４】
特許文献１に開示された彫込錠では、ドアの室外側の意匠性を考慮し、シリンダのハウジングをドアの室内側パネルの開口からシリンダ設置口に挿入可能な構造になっている。シリンダの鍵穴は、ドアの内部においてドアの室外側パネルの小さな開口に臨むように配置される。ハウジングは、軸方向に並ぶ複数の受け穴部を有する。錠ケースの内部には、スタッドと、スタッドを支持するロックガイドとが設けられている。スタッドの一端面は、錠ケースのフロントパネルの小さな開口に対向し、スタッドの他端面は、シリンダ設置口に対向する。シリンダ設置口に挿入されたハウジングの軸方向位置を受け穴部の配置間隔に応じて調整し、その調整位置に対応の当該受け穴部にスタッドを挿入すれば、錠ケースに対するハウジングの位置が固定される。この調整機能を利用すれば、ドアの厚さ等に応じて鍵穴をドアの室外側パネルの開口近傍に適切に配置することができる。
【先行技術文献】
【特許文献】
【０００５】
【特許文献１】特開２００７−２９１６６６号公報
【発明の概要】
【発明が解決しようとする課題】
【０００６】
しかしながら、特許文献１のような彫込錠では、ドア内のシリンダ設置口を眺めてハウジングを適切な向きでシリンダ設置口へ軸方向に挿入、位置調整する作業と、ドアの戸先部に位置するフロントパネルの開口からスタッドを眺めてねじ回し具を接続し、ハウジングの受け穴部へ挿入する位置固定作業とを直交する二方向から行うことになる。このため、作業者は、ドア内のシリンダ設置口に向き合う体勢から、フロントパネルを視認する体勢を変えなければ、スタッドを操作してハウジングを調整位置に固定する作業を行いにくい点で、作業性に改良の余地がある。
【０００７】
上述の背景に鑑み、この発明が解決しようとする課題は、錠ケースのシリンダ設置口に対してシリンダのハウジングを調整位置に固定する際の作業性を向上させることにある。
【課題を解決するための手段】
【０００８】
上記の課題を達成するため、この発明は、ドアの内部に設置される錠ケースと、前記錠ケースのシリンダ設置口に挿入されるハウジングを有するシリンダと、を備える彫込錠において、前記ハウジングが、当該ハウジングの外側で軸方向に並ぶ複数の突部と、回止め部材を軸方向から挿入可能な取付部と、を有し、前記シリンダ設置口が、前記複数の突部を軸方向に挿入可能な内径を成す大径部と、前記複数の突部を軸方向に挿入不可な内径を成す小径突部と、前記取付部に固定された前記回止め部材を周方向に受ける回転制限部と、を有し、前記ハウジングが前記突部を前記大径部へ向けるように前記シリンダ設置口へ挿入され、当該シリンダ設置口に対する当該ハウジングの軸方向位置が調整された状態で当該ハウジングが回されることによって、当該調整位置に対応の前記突部が当該調整位置を維持できるように前記小径突部と軸方向に重なる係止状態とされ、当該係止状態で前記取付部に前記回止め部材が固定され、当該回止め部材が前記回転制限部に周方向に受けられることによって、当該係止状態を維持できるように当該ハウジングの回転が規制される構成を採用した。
【０００９】
上記構成によれば、シリンダ設置口にハウジングを軸方向に挿入し、その軸方向位置を調整してからハウジングを回し、シリンダ設置口の小径突部にハウジングの対応の突部を軸方向に重ねて係止状態にすると、ハウジングの軸方向移動を突部と小径突部の当接で規制し、ハウジングをその調整位置に維持することができる。その係止状態で回止め部材を軸方向から取付部に挿入して固定すると、回止め部材をシリンダ設置口の回転制限部で周方向に受けてハウジングの回転を規制し、その係止状態を維持することができる。すなわち、ハウジングをシリンダ設置口へ軸方向に挿入、位置調整し、その調整位置に固定するまでの作業は、シリンダ設置口に向き合う体勢で行うことが可能になるため、作業性が向上させられる。
【発明の効果】
【００１０】
このように、この発明は、上記構成の採用により、錠ケースのシリンダ設置口に対してシリンダのハウジングを調整位置に固定する際の作業性を向上させることができる。
【図面の簡単な説明】
【００１１】
【図１】この発明の実施形態に係る彫込錠のシリンダ付近の分解斜視図
【図２】実施形態に係る彫込錠を示す正面図
【図３】図２に示す彫込錠の側面図
【図４】実施形態に係るハウジングを示す正面図
【図５】図４のハウジングを短手方向の軸線回りに反転させた外観を示す図
【図６】図５のハウジングを長手方向の軸線回りに９０°回転させた外観を示す図
【図７】図４のハウジングの右側面図
【図８】図４のハウジングの左側面図
【図９】図３の錠ケース内の要部の部品配置を示す図
【図１０】図３の錠ケース内の要部を示す部分断面図
【図１１】図１のシリンダ設置口を示す図
【図１２】図１のシリンダのハウジングをシリンダ設置口に挿入する際の位相を示す図
【図１３】図２のハウジングの突部とシリンダ設置口の係止状態を示す部分断面図
【発明を実施するための形態】
【００１２】
以下、この発明の一例としての実施形態に係る彫込錠を添付図面に基づいて説明する。
【００１３】
図２、図３に示すように、この彫込錠は、ドアＤの内部に設置される錠ケース１と、錠ケース１に取り付けられるシリンダ２と、を備える。ドアＤとして、家屋の戸口を開閉するものが想定されている。
【００１４】
錠ケース１は、デッドボルト３を出没させる施解錠機構を収容、支持するケーシングである。錠ケース１は、ドアＤの屋外側パネルＤｐ１と屋内側パネルＤｐ２との間にドアＤの戸先側から吊り側に向かって挿入される。
【００１５】
図１〜図３に示すように、錠ケース１は、箱状のケース本体４と、ケース本体４のバック側に連結された箱状の拡張ケース５とを有する。錠ケース１は、ケース本体４を構成するフロントパネルにおいてドアＤの戸先部に連結される。ケース本体４には、サムターン６が接続される。拡張ケース５には、シリンダ２が接続される。
【００１６】
シリンダ２は、筒状のハウジング７と、鍵穴を形成する内筒（図示省略）の回転トルクを出力するカム８と、ハウジング７に連結された裏蓋９と、を有する。ここで、軸方向は、シリンダ２のカム８の回転軸線に沿った方向のことをいう。以下、その回転軸線に対して直角な方向のことを径方向といい、その回転軸線回りの円周方向のことを周方向という。
【００１７】
ハウジング７は、錠ケース１に対して静止する部位となる。シリンダ２の鍵穴（図示省略）は、ハウジング７の軸方向一端側の開口から露出している。シリンダ２の鍵穴は、屋外側ドアパネルＤｐ１に形成された鍵挿入孔Ｄｈ１とドアＤの内部で軸方向に対向する。屋外からのドアＤの意匠性を良好にするため、鍵挿入孔Ｄｈ１は、可及的に小さく形成されている。サムターン６、シリンダ２は、屋内側ドアパネルＤｐ２に形成された組込孔Ｄｈ２からケース本体４、拡張ケース５に接続される。屋内側ドアパネルＤｐ２に取り付けられるドアキャップＤｃにより、ドアＤに対して屋内側から、シリンダ２、組込孔Ｄｈ２が露出しないように覆い隠される。鍵挿入孔Ｄｈ１からシリンダ２の鍵穴に鍵（図示省略）を挿入し、その鍵を回す操作により、また、サムターン６を回す操作により、デッドボルト３を錠ケース１に出没させる施解錠の切り替えを行えるようになっている。
【００１８】
錠ケースに収容、支持される施解錠機構は特に限定されない。図示のケース本体４には、本出願人が特開２０１３−２２１２９９号公報において開示した電気錠（同公報の発明の実施の形態参照）と同様の施解錠機構が収容、支持されている。ケース本体４に収容された施解錠機構と、前述の電気錠の錠箱に収容された施解錠機構との比較において相違する点は、拡張ケース５に接続されたシリンダ２とデッドボルト３とサムターン６間の連動機構が追加されたことのみである。その相違点は後述し、共通点の詳細説明は省略する。
【００１９】
カム８は、錠ケース１内の施解錠機構へ回転トルクを伝達する。カム８は、周方向等配の二箇所で軸方向に延びる一対の脚部を有し、これら径方向に対向する一対の脚部から前術の施解錠機構側へトルクを出力するようになっている。カム８の一対の脚部は、ハウジング７の軸方向他端側の開口からハウジング７の外側まで延びている。カム８の各脚部とハウジング７の外側との間には径方向隙間が設定されている。前述の鍵回し操作により、カム８が回転する角度は、９０°未満に設定されている。
【００２０】
裏蓋９は、ハウジング７の軸方向他端側からカム８等が抜け出すことを防止する。裏蓋９は、ハウジング７の軸方向他端部にねじ止めされている。
【００２１】
図４〜図８に示すように、ハウジング７は、その外側で軸方向に並ぶ複数の突部１０ａ〜１０ｃと、最も軸方向一端側に位置する突部１０ａよりも軸方向一端側に位置する取付部１１とを有する。
【００２２】
各突部１０ａ〜１０ｃは、ハウジング７の外周の大部分を占める基準外径面から径方向外側へ突出した形状である。各突部１０ａ〜１０ｃは、周方向に沿う外径面を有する。軸方向の並びの中央に位置する突部１０ｃは、突部１０ｃの軸方向両端に位置する両端面（一端面、他端面）を有する。突部１０ｃに対して軸方向一端側に並ぶ各突部１０ａは、当該突部１０ａの軸方向一端に位置する一端面と、当該突部１０ａの外径面に向かって当該一端面側へ傾斜したテーパ面と、を有する。突部１０ｃに対して軸方向他端側に並ぶ各突部１０ｂは、当該突部１０ｂの軸方向他端に位置する他端面と、当該突部１０ｂの外径面に向かって当該他端面側へ傾斜したテーパ面と、を有する。各突部１０ａ〜１０ｃの軸方向幅は、一定に設定されている。突部１０ｃの両端面、各突部１０ａの一端面、及び各突部１０ｂの他端面は、それぞれ径方向に沿った平坦面状に形成されている。各突部１０ａ，１０ｃの一端面が軸方向に並ぶ間隔は、一定間隔に設定されている。各突部１０ｂ，１０ｃの他端面が軸方向に並ぶ間隔も、前述の一定間隔に設定されている。突部１０ｃに対して軸方向一端側に位置する突部１０ａの並び数と、突部１０ｃに対して軸方向他端側に位置する突部１０ｂの並び数は等しく、図示例では、その並び数を４としている。軸方向に隣り合う突部１０ａ〜１０ｃ間の各間は、前述の基準外径面の一部になっている。なお、突部１０ａ〜１０ｃは、図示のような形態に限定されるものでなく、例えば、同一形状に統一してもよい。
【００２３】
取付部１１は、回止め部材１２を軸方向から挿入して回止め部材１２をハウジング７に固定することができるように、前述の基準外径面から径方向外側へ突出した形状である。取付部１１は、当該取付部１１を軸方向に貫通する雌ねじ孔部１１ａを有する。回止め部材１２は、雌ねじ孔部１１ａに対して軸方向他端側からねじ込まれる雄ねじからなる。
【００２４】
ハウジング７の外側には、ハウジング７の軸方向他端から取付部１１の雌ねじ孔部１１ａまで軸方向に延びる溝部１３が形成されている。溝部１３は、回止め部材１２を雌ねじ孔部１１ａまで軸方向に挿入可能にする空間を確保するためのものである。
【００２５】
また、ハウジング７は、軸方向に延びる係合部１４を有する。係合部１４は、複数の突部１０ａ〜１０ｃの周方向片端に連続する。係合部１４は、前述の基準外径面から径方向外側に突出したリブ状であり、その突出高さは突部１０ａ〜１０ｃよりも高く設定されている。
【００２６】
ハウジング７は、突部１０ａ〜１０ｃとして、係合部１４と溝１３の周方向一方側の溝縁間で周方向に延びるものと、溝１３の周方向他方側の溝縁から周方向他方側へ延びるものとを有する。溝１３に対して周方向他方側に位置する突部１０ａ〜１０ｃは、当該溝１３に対して周方向一方側に位置する突部１０ａ〜１０ｃの周方向延長上に位置する。
【００２７】
各突部１０ａ〜１０ｃ、取付部１１、溝１３、及び係合部１４は、ハウジング７の外側のうち、図１、図２に示すカム８と径方向に対向し得ず、かつカム８と周方向に接触不可な領域に位置する。また、各突部１０ａ〜１０ｃ、取付部１１、溝１３、及び係合部１４は、周方向に１８０°回転対称を成すように形成されている。
【００２８】
裏蓋９は、取付部１１と軸方向に対向する支持部１５を有する。支持部１５には、回止め部材１２を軸方向から挿通可能な貫通孔が形成されている。支持部１５の軸方向他端側の表面は、取付部１１に対するねじ込みによってハウジング７に固定される回止め部材１２の頭部を受ける座面となる。なお、回止め部材１２は、円筒部を有する半ねじになっており、取付部１１にねじ込み可能な範囲は一端部に限定される。このため、回止め部材１２を取付部１１にねじ込む際に支持部１５に過負荷が加えられる懸念はない。
【００２９】
拡張ケース５は、軸方向に対面する一対の側板部１６，１７を有する。シリンダ２のハウジング７が挿入されるシリンダ設置口１８は、一対の側板部１６，１７の内周縁によって構成されている。一対の側板部１６，１７の内周縁は、それぞれ大径部１９と一対の小径突部２０とによって構成されている。大径部１９は、一対の円弧状縁部からなる。大径部１９における内径（一対の円弧状縁部間での内径）は、複数の突部１０ａ〜１０ｃ、取付部１１及びカム８の脚部を軸方向に挿入可能な大きさに設定されている。小径突部２０は、複数の突部１０ａ〜１０ｃ、取付部１１及びカム８の脚部を軸方向に挿入不可な内径を成す縁部分からなる。一対の側板部１６，１７の内周縁は、互いに同位相を成す形状である。各側板部１６，１７における一対の小径突部２０は、１８０°回転対称を成すように形成されている。
【００３０】
小径突部２０の周方向中央部は、取付部１１に固定された回止め部材１２を周方向に受ける回転制限部２１になっている。回転制限部２１は、回止め部材１２の円筒部の半周以上に沿うように凹んだ切欠き状である。このため、回転制限部２１は、回止め部材１２の円筒部を周方向の両方向（一方向と他方向）に受けることができると共に、径方向に受けることもできる。なお、回転制限部２１は、小径突部２０を軸方向に貫通する孔状に形成してもよい。
【００３１】
小径突部２０は、回転制限部２１以外の部分においてシリンダ設置口１８の最小内径を規定する内径面を有する。一対の小径突部２０の内径面が成す前述の最小内径は、ハウジング７の前述の基準外径面に普通嵌め又はすきま嵌めとなり、かつ突部１０ａ〜１０ｃに外接する円径よりも小さく設定されている。小径突部２０の板厚は、ハウジング７の突部１０ａ〜１０ｃの各間における軸方向の最小隙間よりも僅かに小さく設定されている。
【００３２】
図１、図９、図１０に示すように、一対の側板部１６，１７間には、シリンダ２のカム８に連結されるカムリング２２が配置されている。カムリング２２は、一対の側板部１６，１７によって軸方向移動を規制される。図１、図９、図１１に示すように、一対の側板部１６，１７には、カムリング２２をシリンダ設置口１８と同軸回りに回転可能に支持する案内部２３が形成されている。案内部２３は、一対の側板部１６，１７のそれぞれに周方向四等配に配置されている。各案内部２３は、各側板部１６，１７をカムリング２２側に向かって円弧状に軸方向へ凹ませた板部分からなる。カムリング２２の外周両端部は、それら等配の案内部２３によって径方向に支持される。
【００３３】
図１、図３、図９に示すように、カムリング２２の内側には、軸方向に延びる一対のカム溝部２４が形成されている。一対のカム溝部２４は、カム８の一対の脚部を軸方向から挿入可能な形状であり、１８０°回転対称を成すように形成されている。一対のカム溝部２４は、挿入されたカム８の一対の脚部を周方向の両方向に受けると共に径方向に受ける。一対のカム溝部２４にカム８の一対の脚部が挿入されることにより、カム８とカムリング２２が一体に回転可能に連結される。
【００３４】
図１、図９、図１０に示すように、一方の側板部１６は、ケース本体４のバックパネルに締結されるねじ止め部２５と、ケース本体４の下面部に締結されるねじ止め部２６とを有する。ケース本体４内においてサムターン６と電動機構の施解錠切り替え動作を連動させるラックプレートは、拡張ケース５内においてラック方向に往復可能に配置された伝達端部２７を有する。ラックプレートの伝達端部２７と、カムリング２２の係合腕部２８との当接により、サムターン６と、電動機構と、シリンダ２のカム８との施解錠動作が連動させられるようになっている。
【００３５】
上述のシリンダ２を錠ケース１に取り付ける作業は、次のようなものとなる。すなわち、この作業は、錠ケース１が図２に示すようにドアＤの内部に設置された状態で、屋内側ドアパネルＤｐ２の組込孔Ｄｈ２から行われる。シリンダ２をシリンダ設置口１８に挿入する作業は、全ての回止め部材１２がシリンダ２から抜き取られた状態で行われる。
【００３６】
シリンダ設置口１８へシリンダ２を挿入する際の向きは、図１に示すように、カム８の一対の脚部が一対のカム溝部２４に軸方向に対向し、突部１０ａ〜１０ｃ、取付部１１が小径突部２０と軸方向に対向しない（大径部１９へ向ける）向きとする。この向きでカム８の一対の脚部が、図１２に示すように、一対のカム溝部２４に軸方向に挿入される。この挿入により、ハウジング７がシリンダ設置口１８と同軸上に位置するように配置される。また、その挿入に際し、ハウジング７の取付部１１は、大径部１９に向くようにシリンダ設置口１８へ一旦挿入された後、シリンダ設置口１８の外へ出て、シリンダ設置口１８よりも屋外側ドアパネルＤｐ１に近いところへ配置される一方、裏蓋９の支持部１５は、シリンダ設置口１８に挿入されない状態となる（図２参照）。この挿入状態が維持される範囲内かつ突部１０ａ〜１０ｃの軸方向の並び間隔に対応のピッチで、シリンダ設置口１８に対するハウジング７の軸方向位置が調整される。当該調整位置の当該ハウジング７が、図中反時計回りの一方向に回されることによって、カムリング２２も一体に回転させられ、図１３に示すように、当該調整位置に対応の軸方向二箇所の突部１０ａ，１０ｂ，１０ｃが当該調整位置を維持できるように対応の小径突部２０と軸方向に重なる係止状態となり、小径突部２０に係合部１４が周方向に突き当ることにより、その一方向回転が規制される。
【００３７】
例えば、図２に示すように、屋外側ドアパネルＤｐ１が実線で描く位置にあり、シリンダ２が実線で描く調整位置（調整範囲内で最も屋内側に寄せた位置）に取り付けられる場合、図１３において実線で描く小径突部２０と複数の突部１０ａ〜１０ｃの位置関係となり、最も軸方向一端側の突部１０ａの一端面が、屋外側に位置する小径突部２０に軸方向に重なり、並び中央の突部１０ｃの他端面が、屋内側に位置する小径突部２０に軸方向に重なる状態となる。これら突部１０ａの一端面が対応の小径突部２０に軸方向に係止されることにより、シリンダ７の屋外側への軸方向移動が実質的に不可能状態に規制される一方、これら突部１０ｃの他端面が対応の小径突部２０に軸方向に係止されることにより、シリンダ７の屋内側への軸方向移動が実質的に不可能な状態に規制される。図２に示すように、屋外側ドアパネルＤｐ１´が二点鎖線で描く位置にあり、シリンダ２が二点鎖線で描く調整位置（調整範囲内で最も屋外側に寄せた位置）に取り付けられる場合、図１３において二点鎖線で描く小径突部２０´と実線で描く複数の突部１０ａ〜１０ｃの位置関係となり、最も軸方向他端側の突部１０ｂの他端面が、屋内側に位置する小径突部２０´に軸方向に重なり、並び中央の突部１０ｃの一端面が、屋外側に位置する小径突部２０´に軸方向に重なる状態となる。これら突部１０ｂの他端面が対応の小径突部２０´に軸方向に係止されることにより、シリンダ７の屋内側への軸方向移動が実質的に不可能状態に規制される一方、これら突部１０ｃの一端面が対応の小径突部２０´に軸方向に係止されることにより、シリンダ２の屋外側への軸方向移動が実質的に不可能な状態に規制される。なお、実線、二点鎖線で描いた限界位置以外の中間の調整位置は三段階あり、これら中間の調整位置では、対応の突部１０ａの一端面と突部１０ｂの他端面の組み合わせでハウジング７の軸方向移動が規制されることになる。
【００３８】
前述の係止状態では、ハウジング７の一対の溝１３と、一対の小径突部２０の周方向中央部に位置する切欠き状の回転制限部２１とが径方向に対向し、シリンダ設置口１８の外に位置する裏蓋９の支持部１５が小径突部２０に軸方向に対向することになる。この係止状態で、回止め部材１２が、そのねじ先端部から裏蓋９の支持部１５の貫通孔に通され、さらに取付部１１の雌ねじ孔部１１ａにねじ込まれることによって取付部１１に固定される（図３参照）。取付部１１に固定された回止め部材１２が回転制限部２１に周方向に受けられることによって、当該係止状態を維持できるように当該ハウジング７の図中時計回りの他方向回転が規制される。全ての回止め部材１２が対応の取付部１１に固定されることにより、ハウジング７の他方向回転規制が完全となり、拡張ケース５に対するシリンダ２の取り付け作業が完了する。
【００３９】
施解錠切り替え時には、シリンダ２のカム８が施錠方向又は解錠方向に回転することになる。このとき、カム８の一対の脚部のうち、大径部１９と径方向に対向する部分は、図３から明らかなように、大径部１９とハウジング７の前述の基準外径面との間の径方向の隙間を移動することになる。
【００４０】
この彫込錠は、上述のようなものであり、ハウジング７がこの外側で軸方向に並ぶ複数の突部１０ａ〜１０ｃと、回止め部材１２を軸方向から挿入可能な取付部１１とを有し、シリンダ設置口１８が複数の突部１０ａ〜１０ｃを軸方向に挿入可能な内径を成す大径部１９と、複数の突部１０ａ〜１０ｃを軸方向に挿入不可な内径を成す小径突部２０と、取付部１１に固定された回止め部材１２を周方向に受ける回転制限部２１とを有し、ハウジング７が突部１０ａ，１０ｂ，１０ｃを大径部１９へ向けるようにシリンダ設置口１８へ挿入され、当該シリンダ設置口１８に対する当該ハウジング７の軸方向位置が調整された状態で当該ハウジング７が回されることによって、当該調整位置に対応の突部１０ａ，１０ｂ，１０ｃが当該調整位置を維持できるように小径突部２０と軸方向に重なる係止状態とされ、当該係止状態で取付部１１に回止め部材１２が固定され、当該回止め部材１２が回転制限部２１に周方向に受けられることによって、当該係止状態を維持できるように当該ハウジング７の回転が規制される。
【００４１】
すなわち、シリンダ２を錠ケース１に取り付ける作業者は、シリンダ設置口１８にハウジング７を軸方向に挿入し、その軸方向位置を調整してからハウジング７を回し、シリンダ設置口１８の対応の小径突部２０にハウジング７の対応の突部１０ａ，１０ｂ，１０ｃを軸方向に重ねて係止状態にすると、ハウジング７の軸方向移動を対応の突部１０ａ，１０ｂ，１０ｃと対応の小径突部２０の当接で規制し、ハウジング７をその調整位置に維持することができる。その係止状態で回止め部材１２を軸方向から取付部１１に挿入して固定すると、回止め部材１２をシリンダ設置口１８の回転制限部２１で周方向に受けてハウジング７の回転を規制し、その係止状態を維持することができる。すなわち、ハウジング７をシリンダ設置口１８へ軸方向に挿入、位置調整し、その調整位置に固定するまでの作業は、シリンダ設置口１８に向き合う体勢で行うことが可能になる。このため、この彫込錠は、錠ケース１のシリンダ設置口１８に対してシリンダ２のハウジング７を調整位置に固定する際の作業性を向上させることができる。
【００４２】
また、この彫込錠は、ハウジング７が複数の突部１０ａ〜１０ｃの周方向片端に連続するように軸方向に延び、かつ当該ハウジング７を係止状態にするための一方向回転を小径突部２０との当接で規制するように設けられた係合部１４を有し、回転制限部２１が取付部１１に固定された回止め部材２１をハウジング７の他方向回転を規制可能な方向に受ける形状であるので、軸方向負荷に対する突部１０ａ〜１０ｃの耐変形性を係合部１４で補強すると共に、その係合部１４と小径突部２０を利用してハウジング７の一方向回転を係止状態になる適切な位置で停止させることができる。
【００４３】
また、この彫込錠は、回転制限部２１が小径突部２０の一部として設けられているので、シリンダ設置口１８の小径突部２０と大径部１９の径差を成す肉部を利用して回転制限部２１を設けることが可能であり、ひいては、シリンダ設置口１８の形状複雑化を抑えることができる。
【００４４】
また、この彫込錠は、錠ケース１がシリンダ設置口１８を形成する一対の側板部１６，１７を有し、一対の側板部１６，１７間にはシリンダ２のカム回転（カム８の施錠方向回転又は解錠方向回転）を伝達するカムリング２２が配置されており、大径部１９とハウジング７との間がカム８の回転空間になるので、シリンダ２のカム８の回転に必要な空間を利用してハウジング７の突部１０ａ〜１０ｃの挿入用空間を確保することができる。
【００４５】
また、この彫込錠は、回止め部材１２がハウジング７の取付部１１にねじ込むことによって当該取付部１１に固定可能な雄ねじからなるので、回止め部材１２を取付部１１に固定する際、係止状態の突部１０ａ〜１０ｃに衝撃荷重が負荷される懸念がない。すなわち、ピン状の回止め部材を取付部のピン孔に対する圧入で固定することも考えられるが、この場合、圧入時の衝撃が係止状態の突部と小径突部に負荷される懸念があるのに対し、ねじによる固定の場合、その懸念がない。
【００４６】
なお、今回開示された実施形態はすべての点で例示であって制限的なものではないと考えられるべきである。したがって、本発明の範囲は特許請求の範囲によって示され、特許請求の範囲と均等の意味および範囲内でのすべての変更が含まれることが意図される。
【符号の説明】
【００４７】
１  錠ケース
２  シリンダ
５  拡張ケース
７  ハウジング
８  カム
１０ａ〜１０ｃ  突部
１１  取付部
１２  回止め部材
１４  係合部
１６，１７  側板部
１８  シリンダ設置口
１９  大径部
２０  小径突部
２１  回転制限部
２２  カムリング
【図１】
2020016042.tif 000003
【図２】
2020016042.tif 000004
【図３】
2020016042.tif 000005
【図４】
2020016042.tif 000006
【図５】
2020016042.tif 000007
【図６】
2020016042.tif 000008
【図７】
2020016042.tif 000009
【図８】
2020016042.tif 000010
【図９】
2020016042.tif 000011
【図１０】
2020016042.tif 000012
【図１１】
2020016042.tif 000013
【図１２】
2020016042.tif 000014
【図１３】
2020016042.tif 000015